【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
モバイルインターネットプロトコルバージョン６（ＭＩＰｖ６）ネットワークにおいて、第１のアクセスルータ（ＡＲ１）から第２のアクセスルータ（ＡＲ２）へのモバイルノード（ＭＮ）のハンドオーバーの効率性を向上させるための仮想モバイルアンカーポイント（ＶＭＡＰ）であって、前記仮想モバイルアンカーポイントは、階層的にモバイルアンカーポイント（ＭＡＰ）の下かつ前記第１のアクセスルータの上にあり、前記モバイルノードは、前記モバイルアンカーポイントの下で有効な地域気付アドレス（ＲＣｏＡ）と、前記第１のアクセスルータの下で有効な第１の局所気付アドレス（ＬＣｏＡ）とを有し、
前記モバイルノード４１２が前記第２のアクセスルータにハンドオーバーすることを前記仮想モバイルアンカーポイントに通知するパス更新メッセージ（ＰａｔｈＵＭ）を受信することと、
前記第２のアクセスルータの下で有効な第２の局所気付アドレス（ＬＣｏＡ２）を計算することと、
前記第１の局所気付アドレスにおいて受信されたトラフィックを前記第２の局所気付アドレスに転送することと、
を可能とする、改善型マイクロ移動性管理（ＯＭＭ）機能を備え、更に
前記モバイルノードの地域気付アドレスと、
前記モバイルノードの第１の局所気付アドレスと、
前記モバイルノードに関連付けられた固有値と、
を少なくとも含む、前記モバイルノードのためのＶＭＡＰバインディングキャッシュエントリ（ＶＢＣＥ）をさらに含み、
前記第２のアクセスルータのサブネットプリフィックスに対応する最初の６４ビットと、前記モバイルノードの地域気付アドレス、前記モバイルノードの第１の局所気付アドレス及び前記モバイルノードに関連付けられた固有値を共にハッシュ化することによって得られる６４ビットとを連結する関数を用いて、前記第２の局所気付アドレスの計算を実行することを特徴とする、仮想モバイルアンカーポイント。
【請求項２】
前記改良型マイクロ移動性管理機能は、さらに、
前記パス更新メッセージを受信する前に、前記モバイルアンカーポイントから発行された前記第１の局所気付アドレス宛の拡張ローカルバインディング受信確認（Ｅ−ＬＢＡ）を受信し、前記拡張ローカルバインディング受信確認は、前記モバイルノードの地域気付アドレス及び前記モバイルノードに関連付けられた固有値を少なくとも含むことと、
前記モバイルノードのための前記ＶＭＡＰバインディングキャッシュエントリが既に存在する場合、前記拡張ローカルバインディング受信確認に含まれる情報を用いて前記モバイルノードのための前記ＶＭＡＰバインディングキャッシュエントリを更新するステップ、及び前記モバイルノードのための前記ＶＭＡＰバインディングキャッシュエントリが存在しない場合、前記拡張ローカルバインディング受信確認に含まれる情報を用いて前記モバイルノードのための前記ＶＭＡＰバインディングキャッシュエントリを生成するステップのうち１つを実行することと、
を可能とすることを特徴とする、請求項１に記載の仮想モバイルアンカーポイント。
【請求項３】
前記改良型マイクロ移動性管理機能は、さらに、
前記第２のアクセスルータ及び前記モバイルノードから成るグループのうちの１つによって発行された前記パス更新メッセージを受信することと、
前記パス更新メッセージが前記モバイルノードから発行される場合に、前記仮想モバイルアンカーポイントに直接送信された前記パス更新メッセージから前記ＡＲ２のサブネットプリフィックスに対応する最初の６４ビットを抽出することと、
前記パス更新メッセージが前記第２のアクセスルータから発行される場合に、前記第１の局所気付アドレス宛の前記パス更新メッセージのソースアドレス領域から前記第２のアクセスルータのサブネットプリフィックスに対応する最初の６４ビットを抽出することと、
を可能とすることを特徴とする、請求項１に記載の仮想モバイルアンカーポイント。
【請求項４】
前記改良型マイクロ移動性管理機能は、さらに、
前記拡張ローカルバインディング受信確認の中のバインディング存続期間の値を受信することと、
前記モバイルノードのための前記ＶＭＡＰバインディングキャッシュエントリに前記バインディング存続期間の値を加えることと、
前記バインディング存続期間の満了のときに前記モバイルノードのための前記ＶＭＡＰバインディングキャッシュエントリを除去することと、
を可能とすることを特徴とする、請求項２に記載の仮想モバイルアンカーポイント。
【請求項５】
前記改良型マイクロ移動性管理機能は、さらに、
第２のモバイルノード（ＭＮ２）が前記仮想モバイルアンカーポインにハンドオーバーを要求する拡張ルータ要請（Ｅ−ＲｔＳｏｌ）を前記第２のモバイルノード（ＭＮ２）から受信し、前記拡張ルータ要請は、前の局所気付アドレス（ＬＣｏＡ−ＭＮ２）を含むことと、
前記前の局所気付アドレス（ＬＣｏＡ−ＭＮ２）宛のパス更新メッセージを送信することと、
ルータ通知（ＲｔＡｄｖ）を前記第２のモバイルノードに送信することと、
を可能とすることを特徴とする、請求項１に記載の仮想モバイルアンカーポイント。
【請求項６】
モバイルインターネットプロトコルバージョン６（ＭＩＰｖ６）ネットワークにおいて、第１のアクセスルータ（ＡＲ１）から第２のアクセスルータ（ＡＲ２）へのモバイルノード（ＭＮ）のハンドオーバーを行う方法であって、仮想モバイルアンカーポイント（ＶＭＡＰ）は、階層的にモバイルアンカーポイント（ＭＡＰ）の下かつ前記第１のアクセスルータの上にあり、前記モバイルノードは、前記モバイルアンカーポイントの下で有効な地域気付アドレス（ＲＣｏＡ）と、前記第１のアクセスルータの下で有効な第１の局所気付アドレス（ＬＣｏＡ）とを有し、
前記仮想モバイルアンカーポイントにおいて、前記第１の局所気付アドレス宛の拡張局所バインディング受信確認（Ｅ−ＬＢＡ）内の前記モバイルノード及び前記モバイルノードの地域気付アドレスのための固有値を前記モバイルアンカーポイントから受信するステップと、
前記仮想モバイルアンカーポイントにおいて、前記モバイルノードのためのＶＭＡＰバインディングキャッシュエントリを生成し、前記モバイルノードのための固有値は、前記第１の局所気付アドレス及び前記地域気付アドレスとともに保持されるステップと、
前記モバイルノードから拡張ルータ要請メッセージ（Ｅ−ＲｔＳｏｌ）を前記第２のアクセスルータに送信し、それによって前記モバイルノードのハンドオーバーを前記第２のアクセスルータに要求し、前記拡張ルータ要請メッセージは前記モバイルノードの第１の局所気付アドレスを含むステップと、
ルータ通知メッセージ（ＲｔＡｄｖ）を前記第２のアクセスルータから前記モバイルノードに送信するステップと、
前記モバイルノードの第１の局所気付アドレス宛のパス更新メッセージ（ＰａｔｈＵＭ）を前記第２のアクセスルータから送信するステップと、
前記仮想モバイルアンカーポイントにおいて、前記パス更新メッセージを受信するステップと、
前記仮想モバイルアンカーポイントにおいて、前記モバイルノードの第２の局所気付アドレス（ＬＣｏＡ２）を計算するステップと、
前記仮想モバイルアンカーポイントにおいて、前記第１の局所気付アドレスにおいて受信されたトラフィックを前記第２の局所気付アドレスに転送するステップと、
を含むことを特徴とする方法。
【請求項７】
モバイルインターネットプロトコルバージョン６（ＭＩＰｖ６）ネットワークにおける前記ＭＩＰｖ６ネットワークのＶＭＡＰが使用可能なドメイン内で、その下にあって有効な第１の局所気付アドレス（ＬＣｏＡ）を用いる第１のアクセスルータ（ＡＲ１）に接続されたモバイルノード（ＭＮ）であって、前記モバイルノードは、前記ＶＭＡＰが使用可能なドメインのモバイルアンカーポイント（ＭＡＰ）と共有され、前記モバイルノードに関連付けられた固有値を有し、前記モバイルノードは、前記モバイルアンカーポイントの下で有効な地域気付アドレス（ＲＣｏＡ）を有し、
前記第１のアクセスルータから第２のアクセスルータ（ＡＲ２）へのハンドオーバーを行う必要があることを検知することと、
前記第１の局所気付アドレスを含む前記第２のアクセスルータに拡張ルータ要請（Ｅ−ＲｔＳｏｌ）を送信することと、
前記第２のアクセスルータからルータ通知（ＲｔＡｄｖ）を受信することと、
前記ルータ通知から前記第２のアクセスルータのサブネットプリフィックスに対応する６４ビットを抽出することと、
前記第２のアクセスルータのサブネットプリフィックスに対応する６４ビットと、前記モバイルノードの地域気付アドレス、前記モバイルノードの第１の局所気付アドレス及び前記モバイルノードに関連付けられた固有値を共にハッシュ化することによって得られる６４ビットとを連結する関数を用いて、前記第２のアクセスルータの下で有効な第２の局所気付アドレス（ＬＣｏＡ２）を計算することと、
を可能とする、改良型マイクロ移動性管理（ＯＭＭ）機能を備えることを特徴とする、モバイルノード。
【請求項８】
前記改良型マイクロ移動性管理機能は、さらに、
前記第２の局所気付アドレスを計算する前に、前記第２のアクセスルータのサブネットプリフィックスに対応する６４ビットを少なくとも含む、前記第１のアクセスルータ宛のパス更新メッセージ（ＰａｔｈＵＭ）を送信することを可能とすることを特徴とする、請求項７に記載のモバイルノード。
【請求項９】
前記改良型マイクロ移動性管理機能は、さらに、
前記第２の局所気付アドレスを計算した後に、前記第２のアクセスルータのサブネットプリフィックスに対応する６４ビットを少なくとも含む、前記第１の局所気付アドレス宛のパス更新メッセージ（ＰａｔｈＵＭ）を送信することを可能とすることを特徴とする、請求項７に記載のモバイルノード。